(57)【特許請求の範囲】
【請求項１】
上ローラー及び下ローラーを軸支する本体と、前記上ローラーと前記下ローラーの間に巻き掛けられた搬送ベルトと、前記下ローラーと対向して配置され前記搬送ベルトの直線部へ玉を送るアール路を形成するアール路カバーと、を有する研磨機において、
前記アール路カバーの玉受入れ側を支持する支持部材と、前記支持部材を前記下ローラー側へ付勢する第１付勢手段と、前記アール路カバーの玉送り出し側を前記本体に吊下して固定する固定手段と、前記アール路カバーの玉送り出し側を前記下ローラーから離れる方向へ付勢して、前記固定手段と前記アール路カバーとのガタを吸収する第２付勢手段と、を有することを特徴とする研磨機。
【請求項２】
前記固定手段が、前記アール路カバーの玉送り出し側に設けられた固定板と、前記固定板に穿設された支持孔と、前記本体から突設され前記支持孔へ挿通され前記アール路カバーを吊下するロッドと、前記ロッドの先端に設けられ前記固定板の抜け出しを阻止するストッパーと、で構成され、前記第２付勢手段が、前記支持板と前記本体との間に設けられ前記アール路カバーを前記下ローラーと反対側へ付勢するコイルばねで構成されたことを特徴とする請求項１に記載の研磨機。
【発明の詳細な説明】
【０００１】
【発明の属する技術分野】
本発明は、玉を研磨し島の上部に揚送する研磨機に関する。
【０００２】
【従来技術】
パチンコホールには、パチンコ機が複数設置された島が配置されており、この島内で、玉計数機に投入された玉や各パチンコ機のアウト玉が循環されるようになっている。この島には、研磨機が配置されており、島の下部へ送られてきた玉に付着した埃、油等を研磨し、島の上部へ揚送するようになっている。
【０００３】
図６及び図７に示すように、研磨機７０は、本体の上部に軸支された上ローラーと、下部に軸支された下ローラー７２とを備えており、この上ローラーと下ローラー７２との間には、研磨ベルト７４が巻き掛けられている。
【０００４】
下ローラー７２の外周には、アール路カバー７６が沿設されている。このアール路カバー７６は、玉が導入される略直線部分と、それに続く円弧状の曲線部分とから成り、研磨ベルト７４との間に玉Ｐが通過する所定の隙間をもったアール路７８を形成している。
【０００５】
このアール路カバー７６の玉受入れ側は、コイルばね８０で下ローラー７２側へ付勢されたアーム８２で支持されている。また、玉送り出し側には、ブラケット８６が設けられており、このブラケット８６が支持板８８へ取付けられたロッド９０に吊下され、コイルばね８４で下ローラー７２側へ付勢されている。
【０００６】
ところが、上記のように支持されたアール路カバー７６では、図７に示すように、玉Ｐがアール路７８を通過するとき、アール路カバー７６が波打つように外側へ押し広げられるため（矢印Ａ方向に逃げる）、アール路７８の通路幅が安定せず、玉の流れが不安定となる。
【０００７】
【発明が解決しようとする課題】
本発明は係る事実を考慮して、アール路の通路幅を一定に保持し、アール路を流れる玉の流れを安定させることができる研磨機を提供することを課題とする。
【０００８】
【課題を解決するための手段】
請求項１に記載の発明では、アール路カバーが、下ローラーと対向して配置され、アール路を形成している。このアール路は、研磨機に送られてきた玉を、上ローラーと下ローラーの間に巻き掛けられた搬送ベルトの直線部へ送る通路として機能する。
【０００９】
アール路カバーの玉受入れ側は、第１付勢手段によって下ローラー側へ付勢された支持部材で支持されている。また、アール路カバーの玉送り出し側は、固定手段によって、本体に吊下され固定されており、この固定された部分のガタを無くすため、第２付勢手段がアール路カバーの玉送り出し側を下ローラーから離れる方向へ付勢している。
【００１０】
このようなアール路カバーの支持機構を採ることによって、アール路カバーと下ローラーとの間に構成されるアール路の隙間を一定に保持することができる。すなわち、第１付勢手段によって、アール路カバー全体が上方に付勢され、玉がアール路へ流れ込むことによって、上下に往復移動するだけなので、アール路の通路幅が波打つように変化することがなく、玉がスムーズに流れる。
【００１１】
また、アール路カバーの玉送り出し側は固定されているので、回転することがなく、アール路の出口部分と搬送ベルトの直線部との間に段差が生じることがない。このため、アール路から搬送ベルトの直線部へ玉がスムーズに流れる。
【００１２】
請求項２に記載の発明では、アール路カバーの玉送り出し側に固定板が設けられており、この固定板には支持孔が穿設されている。この支持孔は、本体から突設されロッドへ挿通されアール路カバーを回転不能に吊下している。また、ロッドの先端には、ストッパーが設けられており、支持板と本体との間に配置したコイルばねが、アール路カバーの玉送り出し側を下ローラーと反対側へ付勢することによって、固定板とストッパーとのガタを吸収すると共に、アール路カバーと下ローラーと隙間を一定に保持している。
【００１３】
このような構成によって、アール路カバーの玉送り出し側がワンタッチで本体に固定することが可能となり、また、固定部分のガタを吸収することもできる。
【００１４】
【発明の実施の形態】
図１〜図４に示すように、本形態に係る研磨機１０では、本体１２に、上ローラー１３と下ローラー１４が軸支されている。下ローラー１４は、電動モータから駆動力を伝達され回転するようになっている。
【００１５】
上ローラー１３と下ローラー１４との間には、搬送ベルト１６が巻き掛けられている。搬送ベルト１６は、上ローラー１３と下ローラー１４との間で、垂直となっていおり、この直線部分に搬送ベルト１６と対面してカバー１８が配置されている。
【００１６】
カバー１８の裏面には、円弧状の溝が長手方向に延設された研磨マット２０が取付けられている。この研磨マット２０と搬送ベルト１６の直線部分との間に玉が挟持され研磨されながら、島の上部へ揚送されるようになっている。
【００１７】
下ローラー１４の下側には、アール路カバー２２が設けられている。このアール路カバー２２の底板２４は、平板状の直線部と円弧状に湾曲した湾曲部を備えており、本体１２に装着したとき、下ローラー１４との間に円弧状のアール路Ｒと玉Ｐが導入される間隔の広い導入部Ｆを構成する。
【００１８】
底板２４の幅方向の両端には、底板２４の形状に合わせて湾曲した側板２６が延設されており、この側板２６の上端には、底板２４の上に張り出すフランジ部２６Ａが形成されている。このフランジ部２６Ａと底板２４との間に、コイルばね３２を間に挟んで、底板２２の形状に合わせて湾曲した柔軟弾性体２８が保持されるようになっている。これによって、柔軟弾性体２８がガタつくことなく、所定の弾性力を持ってアール路カバー２２にワンタッチで装着される。
【００１９】
また、柔軟弾性体２８には、玉Ｐが通過する溝部２８Ａが形成されており、外側の溝壁２８Ｂが、搬送される玉Ｐと側板２６との接触を防止している。
【００２０】
一方、アール路カバー２２の玉送り出し側には、外方へ向かって下ローラー１４の軸線と平行にブラケット３０が突設している。このブラケット３０には、支持孔３４が穿設されている。この支持孔３４は、ベースプレート６２から立設された支持板３６の円孔３８へ挿通されナット４２で固定されたボルト４０の脚部へ挿入されている。これによって、アール路カバー２２がボルト４０に回転不能に吊下される。
【００２１】
また、ボルト４０の先端部には、ボルト４０の芯部に沿って挿入溝４６が形成されている。この挿入溝４６には、板状のストッパー５２が挿入されるようになっている。このストッパー５２には、長円状の軸孔５４が設けられており、挿入溝４６へ挿入された状態で、貫通孔５０へ差し込まれたピン４８が軸孔５４を軸支するようになっている。
【００２２】
これによって、ストッパー５２は、ピン４８を軸として、挿入溝４６内に遊嵌され、図４に示すように、ストッパー５２をボルト４０と直交するように回動させることにより、ブラケット３０がボルト４０から抜け出ない。
【００２３】
また、ボルト４０には、コイルばね５６が挿通されており、ブラケット３０を介してアール路カバー２２を下ローラー１４の反対側に付勢している。これによって、ストッパー５２とブラケット３０とのガタが吸収され、アール路カバー２２の玉送り出し側と下ローラー１４との隙間が一定に保持される。
【００２４】
一方、アール路カバー２２の玉受入れ側は、受け腕５８によって支持されている。この受け腕５８は、スライドプレート６０に固定されている。スライドプレート６０は、ベースプレート６２から突設されたボルト６４へ挿通されたコイルばね６６に支持されている。これによって、アール路カバー２２の玉受入れ側は、コイルばね６６で下ローラー１４側へ付勢された状態で、ボルト６４の上端に取付けられたナット６８によって、アール路カバー２２の玉受入れ側と下ローラー１４との隙間が一定に保持されている。
【００２５】
また、アール路カバー２２の玉受入れ側には、アングル７１の上端に設けられた軸材７３で揺動可能に支持された流入樋７５が配置されており、この流入樋７５を介して、玉Ｐが導入部Ｆへと導入されるようになっている。
【００２６】
次に、本形態に係る研磨機の作用を説明する。
図４に示すように、アール路カバー２２の玉受入れ側は、コイルばね６４によって下ローラー１４側へ付勢され、アール路カバー２２の玉送り出し側は、ボルト４０によって回動不能に固定され、かつ、コイルばね５６によって下ローラー１４と反対側へ付勢され、固定部分でのガタが吸収されている。
【００２７】
このようなアール路カバー２２の支持機構を採ることによって、柔軟弾性体２８と搬送ベルト１６との間に構成される玉Ｐの通路の幅が一定に保持される。詳細には、図５に示すように、コイルばね６４によって、アール路カバー２２全体が上方に付勢され、玉Ｐがアール路Ｒへ流れ込むことによって、上下に往復移動するだけなので、アール路Ｒの通路幅が波打つように変化することがなく、玉がスムーズに流れる。
【００２８】
また、アール路カバー２２の玉送り出し側は回転することがないので、アール路Ｒの出口部分と搬送ベルト１６の直線部との間に段差が生じることがない。このため、アール路Ｒから搬送ベルト１６の直線部へ玉がスムーズに流れる。
【００２９】
【発明の効果】
本発明は上記構成としたので、アール路の通路幅を一定に保持でき、アール路を流れる玉の流れを安定させることができる。
【図面の簡単な説明】
【図１】本形態に係る研磨機の全体斜視図である。
【図２】本形態に係る研磨機とアール路カバーとの関係を示した斜視図である。
【図３】本形態に係る研磨機に使用されるアール路カバーの分解斜視図である。
【図４】本形態に係る研磨機の下部断面図である。
【図５】本形態に係る研磨機のアール路に玉が流入した状態を示した下部断面図である。
【図６】従来の研磨機の下部断面図である。
【図７】従来の研磨機のアール路に玉が流入した状態を示した断面図である。
【符号の説明】
２２      アール路カバー
３０      固定板（固定手段）
３４      支持孔（固定手段）
４０      ボルト（ロッド）
５２      ストッパー
５６      コイルばね（第２付勢手段）
５８      受け腕（支持部材）
６６      コイルばね（第１付勢手段）
【図１】
0003957093.tif 000002
【図２】
0003957093.tif 000003
【図３】
0003957093.tif 000004
【図４】
0003957093.tif 000005
【図５】
0003957093.tif 000006
【図６】
0003957093.tif 000007
【図７】
0003957093.tif 000008